(57)【要約】【課題】  加入者側通信線からのジャンパー線を交換機への出力端である接続コネクタに接続するための複数の入回線接続用Ｕスリット端子を前面側に整列して設けてある通信用保安器サブモジュールにおいて、搭載すべきＵスリット端子がダブルＵスリット端子であっても、Ｕスリット端子の必要な強度と絶縁距離を維持した状態で保安器サブモジュールの幅寸法を縮小化できるようにする。【解決手段】  Ｕスリット端子２のＵスリット形成部２１を板状に形成し、このＵスリット形成部をＵスリット端子列２Ａ，２Ｂの整列方向に対して所定角度傾斜して設ける。【選択図】  図４
2007013670.tif 000002
【特許請求の範囲】
【請求項１】
加入者側通信線からのジャンパー線を交換機への出力端である接続コネクタに接続するための複数の入回線接続用Ｕスリット端子を前面側に整列して設けてある通信用保安器サブモジュールにおいて、
前記Ｕスリット端子の少なくともＵスリット形成部が板状に形成され、
前記Ｕスリット形成部がＵスリット端子列の整列方向に対して所定角度傾斜されており、
前記Ｕスリット端子の整列配置は、前記Ｕスリット端子列を並び方向に対して直角方向から見た場合に、前記Ｕスリット形成部相互間に隙間が形成されないように行われていることを特徴とする通信用保安器サブモジュール。
【請求項２】
前記Ｕスリット形成部が２個のＵスリットを並設したダブルＵスリット端子として構成されていることを特徴とする請求項１に記載の保安器サブモジュール。
【請求項３】
前記Ｕスリット形成部の傾斜角が約１３°から約２０°であることを特徴とする請求項１又は２に記載の保安器サブモジュール。
【請求項４】
前記Ｕスリット端子の前記ジャンパー線引き出し方向外側には、該Ｕスリット端子から所定間隔を置いて、縁部を鋭利に形成したＶ字状切断溝を有する切断端子が取り付けられたことを特徴とする請求項１〜３の何れか１項に記載の保安器サブモジュール。
【請求項５】
前記Ｕスリット端子及び前記切断端子は、全体がＵスリットハウジングに被装された状態で設置されたことを特徴とする請求項４に記載の保安器サブモジュール。
【発明の詳細な説明】
【技術分野】
【０００１】
本発明は、ＰＢＸ（構内交換機）や電話交換機などの通信装置が設置される場所において、交換機側と加入者側とのインターフェイス部に施設される主配線盤に実装され、雷による過電圧、過電流から交換機を保護し、また、通信回線の切り分けを行い、かつ通信回線の入出力接続処理を行う保安器モジュールに関するものであり、特に、前記保安器モジュールを形成するために所定数のものが段積みされる保安器サブモジュールに関する。
【背景技術】
【０００２】
図１２は従来の保安器サブモジュール１００を示している。この保安器サブモジュール１００は、間隔を置いて平行配置された２枚のプリント配線板１１０Ａ，１１０Ｂ（図には手前のプリント配線板１１０Ａのみが見えている）と、各配線板上に取り付けられた、過電圧／過電流防護素子、例えばＰＮＰＮ型半導体素子（図にはプリント配線板１１０Ａ上の防護素子１２０Ａのみが見えている）と、保安器サブモジュールの前面側において両プリント配線板に取り付けられた入回線接続用Ｕスリット端子を全体的に被装するＵスリットハウジング１３０と、保安器サブモジュールの一方側面（図１２では右側面）において両プリント配線板に取り付けられた、通信回線の切分け並びに試験用の試験弾器１４０と、同じく前記一方側面において両プリント配線板に取り付けられた出回線接続用コネクタ１５０とを有している。
【０００３】
上記両プリント配線板１１０Ａ，１１０Ｂ間の間隙内には、保安器サブモジュール１００の上記一方側面に対向する側の他方側面（図１２では左側面）に設けた導入口１６０ａからＵスリットハウジング１３０まで延伸する複数の通線口１６０が並列して設けてある。各通線口１６０には導入口１６０ａから、加入者側線路に接続された１回線分の２本のＡ及びＢジャンパー線が差し込まれ、Ｕスリットハウジング１３０に達したジャンパー線先端部は、Ａ線用およびＢ線用の２つで一対のＵスリット端子から成る１回線用Ｕスリット端子の各Ｕスリット端子にそれぞれに接続される。
【０００４】
上記Ｕスリットハウジング１３０内には、複数対のＵスリット端子が、Ａ線用Ｕスリット端子の横列と、Ｂ線用Ｕスリット端子の横列とが平行に並ぶように収容されており、上側列をＡ線用、下側列をＢ線用とすると、上側列のＡ線用Ｕスリット端子の基端は上側のプリント配線板１１０Ａに固定され、下側列のＢ線用Ｕスリット端子の基端は下側のプリント配線板（１１０Ｂ）に固定されている。
【０００５】
上記Ａ線用Ｕスリット端子の基端は、上側プリント配線板１１０Ａに形成されたプリント配線を介して、上記過電圧／過電流防護素子１２０Ａにそれぞれ一対一の態様で接続され、同様に、Ｂ線用Ｕスリット端子の基端は、下側プリント配線板（１１０Ｂ）上の過電圧／過電流防護素子にそれぞれ一対一の態様で接続されている。
【０００６】
上側プリント配線板１１０Ａ上の各過電圧／過電流防護素子１２０Ａは、上側プリント配線板１１０Ａに形成されたプリント配線を介して、上記試験弾器１４０中の合掌接合状態の１対の弾器ばねの一方に接続され、他方の弾器ばねは、上側プリント配線板１１０Ａに形成されたプリント配線を介して、上記出回線接続用コネクタ１５０における１つの対応端子に接続されている。同様に、下側プリント配線板（１１０Ｂ）上の各過電圧／過電流防護素子は、下側プリント配線板に形成されたプリント配線を介して、試験弾器１４０中の他の合掌接合状態の１対の弾器ばねの一方に接続され、他方の弾器ばねは、下側プリント配線板に形成されたプリント配線を介して、上記出回線接続用コネクタ１５０における１つの対応端子に接続されている。
【０００７】
上記出回線接続用コネクタ１５０は、保安器サブモジュールを段積みした保安機モジュールが上記の主配線盤に実装された後、それらコネクタに接続される差込プラグ付きの接続コードを介して電話交換機に接続され、このようにして加入者側線路に結合される１回線用の２本のＡ及びＢジャンパー線は保安器サブモジュール１００を介して電話交換機に接続されて１つの通信回線が形成され、１つの保安器サブモジュールにつき、例えば８回線とか１６回線の通信回線が形成される。
【０００８】
上記のように、Ｕスリット端子は、扁平な保安器サブモジュール１００の前端面に２列に並置され、各ＵスリットをＵスリットハウジングの前面側へ開放した状態で、Ｕスリットハウジングの長手方向（水平配置された保安器サブモジュールを正面側から見て横方向に相当）へ所定のピッチで配列されるものであるが、趨勢として、１つの保安器サブモジュールに対するＵスリット端子の搭載数増大が望まれている。
【０００９】
しかしながら、Ｕスリット端子の搭載数増大に伴い、必然的にＵスリットハウジングの長手方向寸法も増大し、このことは結果的に保安器サブモジュールの幅寸法を増大させることになり、そのため、この保安器サブモジュールを段積みして成る保安器モジュールを既製の主配線盤に実装して利用する際に、保安器サブモジュールに対する充分な作業スペースが確保できないという問題が生じている。
【００１０】
特に、Ｕスリット端子がダブルスリット（１つのＵスリット端子にＵスリットが２つ並びに形成されている）を有している場合（下記特許文献１の図１０、図１１参照、この文献ではダブルＵスリット端子を“マルチ付可能なＵスリット端子”と呼称している）、Ｕスリット端子の幅寸法が、シングルスリットのＵスリット端子のそれと比較して更に大きくなるため、上記の問題がより顕著となる。
【００１１】
そのため、ダブルＵスリット端子を用いる場合、保安記サブモジュールは図１３に示すように、２つのスリット１７０ａ，１７０ｂを有するＵスリット端子１７０がＡ線用及びＢ線用として各列８本ずつ配列させた８回線用として製作されているのが現状である（図１３にはＡ線用のＵスリット端子の列が示されている）。
【００１２】
【特許文献１】実公平６−４４２７８号公報
【発明の開示】
【発明が解決しようとする課題】
【００１３】
保安器サブモジュールの回線数を増加させる場合の上記のような幅寸法の増大の問題に対処するために、上記Ａ線用およびＢ線用Ｕスリット端子の各列におけるＵスリット端子間のピッチを狭めたり、Ｕスリット端子の幅寸法を縮小したりする試みがなされたが、前者には、Ｕスリット端子間に所定の絶縁距離を取らなければならないという制約があり、後者については、Ｕスリット端子の必要な強度確保のためには幅寸法の縮小にも限界があり、それらが障害となって期待どおりの効果を得られるには到っていない。
【００１４】
そこで本発明は、上記のような保安器サブモジュールにおいて、搭載すべきＵスリット端子数が増大し、特に２個のＵスリットを並設したダブルＵスリット端子であっても、保安器サブモジュールの幅寸法が縮小化でき、同時にＵスリット端子の必要な強度と絶縁距離は維持されるようにすることを目的としたものである。
【課題を解決するための手段】
【００１５】
上記目的を達成する請求項１に記載の発明は、加入者側通信線からのジャンパー線を交換機への出力端である接続コネクタに接続するための複数の入回線接続用Ｕスリット端子を前面側に整列して設けてある通信用保安器サブモジュールにおいて、前記Ｕスリット端子の少なくともＵスリット形成部が板状に形成され、前記Ｕスリット端子の整列設置は、前記Ｕスリット端子列を並び方向に対して直角方向から見た場合に、前記Ｕスリット形成部相互間に隙間が形成されないように行われていることを特徴とする。
【００１６】
上記のように、Ｕスリット端子の板状Ｕスリット形成部を各列の配列方向に対して所定の角度傾斜させ、しかも隣り合うＵスリット形成部相互間に上記のような隙間が形成されないようにすることにより、Ｕスリット形成部相互間の配列ピッチが縮小され、従ってＵスリット端子の配列長さが抑制され、また、このようにＵスリット端子の配列長さが抑制された状態であっても、傾斜配列としたことによりＵスリット形成部相互間には所定の絶縁距離又は絶縁空間が確保され、その結果、板状Ｕスリット形成部に要求される必要な幅寸法を維持した状態で、Ｕスリット端子列の長さの縮小が可能であり、従って保安器サブモジュールの幅寸法の縮小化が可能である。
【００１７】
請求項２に記載のように、前記Ｕスリット形成部が２個のＵスリットを並設したダブルＵスリット端子として構成されている場合、本発明の有意性が特に発揮される。ダブルＵスリット端子は、例えば交換機の変更時や、増改築を行うため一時的に住居を移すが、一時的住居が同じ局内であるので電話番号を変えないで電話を使用したいというような要求に対応可能であるが、２個のＵスリットが設けてあるためＵスリット形成部は必然的に幅広になる。本発明によれば、このようにＵスリット形成部が幅広であってもＵスリット端子の配列ピッチを縮小することができ、従って搭載すべきＵスリット端子の増大に伴う保安器サブモジュールの幅員増大の問題を解消することができる。
【００１８】
請求項３に記載のように、前記Ｕスリット形成部の傾斜角が約１３°〜約２０°であるようにすると、Ｕスリット端子配列部の厚さ寸法を増大させることなく保安器サブモジュールの幅寸法の縮小化が可能である。
【００１９】
上記傾斜角が１３°以下の場合、Ｕスリット端子配列部の厚さ寸法（即ち、保安器サブモジュールの厚さ寸法）の増大は生じないが、絶縁距離が０．３６ｍｍ以下となり、電気的絶縁性能及びプラスチック成形時の材料流動性の面で問題となる。上記傾斜角が２０°以上になると、Ｕスリットハウジングの厚さ寸法が片側で（即ち、一方のＵスリット端子列の側で）０．１５ｍｍ、即ちＡ，Ｂ両Ｕスリット端子列の側で０．３ｍｍの増加になり、Ｕスリット端子配列部の厚さ寸法の増加を招くことになる。
【００２０】
これに対し、傾斜角が上記の範囲にある場合、例えば約１５°の場合、保安器サブモジュールの厚さ寸法の増大はなく、絶縁距離は０．５ｍｍとなる。この値はＵスリット端子相互間の確実な絶縁をもたらすと共に、プラスチック成形時の材料流動性にとっても好都合である。
【００２１】
また、ダブル結線位置の上下方向のずれ（即ち、Ｕスリット端子配列方向に対して直交する方向で見た場合の、ダブルＵスリット端子の２つのＵスリット間の距離）に着目した場合、傾斜角が約１５°のときは、ずれの値が０．４８ｍｍであるのに対し、２１°では０．６６ｍｍと大きくなり、このようにずれの値が大きくなると、結線工具共用化の面で相応しくない。
【００２２】
上記のように、Ｕスリット形成部の傾斜角は、最小絶縁距離の確保、Ｕスリットハウジングの幅寸法の縮小最適化、結線位置の上下方向ずれの最小化などを総合的に考慮すると、約１５°が最適値である。
【００２３】
請求項４に記載の発明は、請求項１〜３に記載の発明において、前記Ｕスリット端子の前記ジャンパー線引き出し方向外側に、該Ｕスリット端子から所定間隔を置いて、縁部を鋭利に形成したＶ字状切断溝を有する切断端子を取り付けたことを特徴とする。
【００２４】
このように構成することによって、ジャンパー線の先端部が結線用工具によってＵスリットの口元から奥へ向けて押し込まれる際、ジャンパー線の余長部もその中途部分が前記結線用工具に付設の切断用突部によって前記Ｖ字状切断溝内へ押込まれ、それにより不要なジャンパー線末端部分の切り落としが同時に行なわれ、その場合、Ｖ字状切断溝の溝縁部がナイフエッジ状に鋭利に形成されていることにより、ジャンパー線末端部分の切り落としが、前記結線用工具への大きな押込み力付与を必要とすることなく可能となり、その結果、切断作業の際の保安器サブモジュール構成部材への大きな衝撃力や押圧力の波及がなく、該構成部材を大きな衝撃力に耐え得るよう厚肉で強固に構成する必要がないので、同構成部材の薄肉化が可能であり、延いては保安器サブモジュールの小型化を可能にする。
【００２５】
請求項５に記載のように、前記Ｕスリット端子及び前記切断端子を全体的にＵスリットハウジングにて被装して前記Ｕスリット端子及び前記切断端子を保護した状態にした場合、Ｕスリット端子と対応して切断端子を備えているため、ジャンパー線切断時、従来のようなＵスリットハウジングに衝撃荷重が加わることもなく、切断工具の切断刃によるハウジングの傷、割れなどが生じないことから、ハウジングの機械的強度は、従来品ほど設計面で配慮しなくてもよい。このことはＵスリットハウジングの薄型化、延いては小型化を可能にし、保安器サブモジュールの小型化を可能にする。
【発明の効果】
【００２６】
本発明によれば、通信用保安器サブモジュールに搭載するＵスリット端子数の増大が、保安器サブモジュールの寸法の大幅な増大を伴うことなく達成され、特に大きな幅寸法を有しているダブルＵスリット端子の搭載数を増大させる場合に、保安器サブモジュールの幅寸法の増大を効果的に抑えることができ、従って通信回線数を増大させた通信用保安器サブモジュールを段積みして構成される通信用保安器モジュールを既設の主配線盤に搭載しても、従来一般の通信用保安器モジュールと同様に、保安器モジュールに対する様々な作業用のスペースが十分に確保できる。
【発明を実施するための最良の形態】
【００２７】
以下、本発明を実施するため最良の形態を、図面に基づいて説明する。
【００２８】
図１は本発明による通信用保安器サブモジュール１の平面図、図２は同保安器サブモジュールの斜視図であって、図１２に示す従来の保安器サブモジュールと同じ部材は、それらの機能や接続状態が図１２を参照して説明したものと同様であるので、図１２において使用した符号と同じ符号を本発明の図に付すことによって、それらに関する詳細な説明を省略する。
【００２９】
本発明は、平面視が略矩形で扁平形状の上記の通信用保安器サブモジュール１の前端部に設けられるＵスリット端子及びその配列、並びにこれらＵスリット端子を被装しているＵスリットハウジングに特徴がある。
【００３０】
図１及び図２には、プリント配線板１１０Ａに取り付けられた１６個のＡ線側Ｕスリット端子２Ａ1，２Ａ2，２Ａ3・・・２Ａ16の基部（図１）と、他方のプリント配線板（１１０Ｂ）に取り付けられた１６個のＢ線側Ｕスリット端子２Ｂ1，２Ｂ2，２Ｂ3・・・２Ｂ16の先端部（図２）と、Ａ線側およびＢ線側Ｕスリット端子全体を被装又は被覆し、プリント配線板１１０Ａ，１１０Ｂに装着されているプラスチック製Ｕスリットハウジング３が示されている。
【００３１】
上記Ｕスリット端子は全て同形状を有しており、図３にはダブルＵスリット端子として形成されたＵスリット端子２の実施形態が斜視図にて示されている。この実施形態によるＵスリット端子２は、金属製薄板を細長い形状に打ち抜き、プレスして形成されており、縦方向へ延びる２つのＵスリット２１ａ，２１ｂが並列的に設けられたＵスリット形成部２１と、上記プリント配線板１１０Ａ（１１０Ｂ）に固定される基部２２と、これら両部分２１，２２を連結する狭窄部２３とを有している。基部２２には、Ｕスリット端子２を上記プリント配線板に固定するための固定穴２２ａと、Ｕスリット端子２をプリント配線板上のプリント配線に接続するＬ曲げ部２２ｂとが形成されている。
【００３２】
上記Ｕスリット形成部２１と基部２２とは狭窄部２３で互いに捩じれており、その捩じりは、Ｕスリット形成部２１を含む垂直平面と基部２２を含む垂直平面とが相互に１５°の角度を成すように行なわれている。このように両者の間に１５°の角度をもたせることにより、複数のＵスリット端子２を、それらの基部２２をプリント配線板の前端に横方向へ同一平面的に整列固定してプリント配線板に取り付けたとき、Ｕスリット形成部２１はＵスリット端子２の配列方向に対して１５°の角度を持って傾斜することになる。この１５°は、以下に説明するように、Ｕスリットハウジングの厚さ寸法を増大させることなく幅寸法の縮小化を可能とするので、好ましい角度であるが、本発明はこの角度のみに限定されるものではない。上記の基部２２はプリント配線板に取り付けられる際、相互間に絶縁距離がもたらされるよう、その寸法形状が決められている。
【００３３】
図４は上記のようにプリント配線板に整列固定されたＡジャンパー線結線用Ｕスリット端子列２Ａと、Ｂジャンパー線結線用Ｕスリット端子列２ＢをＵスリットハウジング３にて被装した状態をＵスリットハウジング３の正面側から見た図であって、この図４および図４中のＡ部拡大尺図である図５から明らかなように、各列のＵスリット端子のＵスリット形成部がそれらの整列方向に対して所定の角度で一様に傾斜しており、しかもその際、Ｕスリット端子の整列設置は、Ｕスリット端子列を並び方向に対して直角方向（図１１のＷの方向）から見た場合に、Ｕスリット形成部相互間に隙間が形成されないように行われている。
【００３４】
このようにＵスリット端子２のＵスリット形成部２１を傾斜させ、しかもその際Ｕスリット形成部相互間に隙間が形成されないようにすることにより、Ｕスリット端子の配列ピッチを縮小してＵスリット端子配列長さを抑制することができ、同時に隣接するダブルＵスリット形成部２１間に必要な絶縁距離Ｓ（図５参照）を確保することができ、その際Ｕスリット形成部２１の幅寸法を縮小させる必要はない。図示の実施形態の場合、Ｕスリット端子の配列ピッチはＵスリット端子の幅寸法Ｈ（図３参照）に対応しており、例えば、Ｕスリット形成部２１の幅寸法が４．１ｍｍの場合、配列ピッチが４．１ｍｍとなされており、その結果、Ｕスリット形成部２１を傾斜させないで同一平面的に配列し、必要な絶縁距離を取確保しなければならない場合に比べ、列全体の長さ寸法、延いてはＵスリットハウジング３の幅方向寸法を１０．５ｍｍ削減することができ、必要な絶縁距離約０．５ｍｍを確保することができる。このことは、Ｕスリット端子がダブルＵスリット端子である場合のように、幅広の場合に特に有利である。
【００３５】
プリント基板１１０Ａ（１１０Ｂ）に装着される上記Ｕスリットハウジング３にはその裏面側、すなわちプリント配線板に対向する側から、プリント配線板に固定されたＵスリット端子を差し込むことのできる細隙が設けてあり、この細隙は、図５に示すように、各Ｕスリット端子に対応してＵスリットハウジング３の前面側に形成されたストレインリリーフ３ａ，３ｂ間の結線用溝部３ｃ，３ｄに開口しており、各細隙に差し込まれたＵスリット端子はそのＵスリット２１ａ，２１ｂが前記結線用溝部３ｃ，３ｄ内に進入した状態で同溝内に配置される。
【００３６】
上記Ｕスリットハウジング３は更に、図５に示すように、各Ｕスリット端子列２Ａ，２Ｂの各Ｕスリット端子の配置位置に対してジャンパー線引き出し方向外側（縁部側）の位置に切断端子４を保持しており、その保持は、各Ｕスリット端子の両側のストレインリリーフ３ａ，３ａ間に形成された切断端子保持スリットに、切断端子４の本体部４ｃを差し込むことによって行なわれる。
【００３７】
図６にはダブルＵスリット端子に対応する切断端子４の実施形態が拡大尺にて示されている。この切断端子４は略矩形の薄板片より成っており、上端に２つのＶ字状切断溝４ａ，４ｂが形成され、各切断溝４ａ，４ｂの溝縁部はナイフエッジ状に鋭利に形成されている。切断端子４の本体部４ｃには、切断端子用スリットに差し込まれた切断端子４がスリットから抜け出すのを防止するために、圧接用ボス４ｄが形成され、また本体部４ｃの中央部には、切断端子４を上記保持スリットに差し込んで設置する際に工具と係合させるための係合穴４ｅが設けてある。
【００３８】
Ｕスリットハウジング３に差し込み装着された切断端子４と、上記ストレインリリーフ３ａ，３ｂとの配置関係が図４、図５および図７に示されている。特に図４から明らかなとおり、切断端子４はそのＶ字状切断溝４ａ，４ｂが、ストレインリリーフ３ａ，３ｂ間の結線用溝部３ｃ，３ｄにそれぞれ連続するように位置せしめられ、従って結線用溝部３ｃ，３ｄ内のＵスリット２１ａ，２１ｂと、Ｖ字状切断溝４ａ，４ｂは、それぞれ結線用溝部３ｃ，３ｄを介在して一連に配列された状態になる。
【００３９】
図７は、ダブルＵスリット端子２及び切断端子４とストレインリリーフ３ａ，３ｂとの高さ関係を示しており、この図から明らかなように、ストレインリリーフ３ａ，３ｂはダブルＵスリット端子２及び切断端子４の先端よりも先まで延伸している。図８は、ダブルＵスリット端子２（２Ａ1，２Ａ2，２Ａ3・・・；２Ｂ1，２Ｂ2，２Ｂ3・・・）と切断端子４との配置関係を示している。図８中の３ｄは、上記の切断端子４をＵスリットハウジングの上記保持スリットに差し込む際に、工具を上記係合穴４ｅに係合させて切断端子４を推し進めるために用いられる間隙であって、この間隙３ｄは上記保持スリットに連通している。
【００４０】
上記Ｕスリットハウジング３には、更に、２つのＵスリット端子列２Ａ，２Ｂの間に、各通線口１６０（図１参照）に連通する導出口３ｅを有しており、各導出口３ｅはそれぞれ対応するＵスリット端子に関する結線用溝部３ｃ，３ｄに対して側方で開放している。
【００４１】
Ｕスリット端子へのジャンパー線の結線は次のようにして行われる。例えば、図４中の左端にある１対のＵスリット端子２Ａ1，２Ｂ1に１回線用のジャンパー線を接合する場合、図１の左端の通線口１６０への導入口１６０ａから差し込まれた２本のＡ及びＢジャンパー線は、その先端部が図４の左端の導出口３ｅから導き出され、その内Ａジャンパー線はＵスリット端子２Ａ1に関する結線用溝部３ｃ，３ｄの内の何れか一方の溝部内に横置され、その先端は切断端子４より先まで延長される。
【００４２】
次いで、このように横置された各ジャンパー線は、それぞれ図９に示すような結線工具を用いて対向するＵスリット２１ａ，２１ｂ内に押し込まれ、その際、被覆線であるジャンパー線の被覆が破断してジャンパー線とＵスリット端子との電気的接続が行われると共に、切断端子４より先まで線の引き出し方向へ延長している余長部も、ジャンパー線が前記結線工具に対向するＶ字状切断溝に押し込まれることにより切り落とされる。
【００４３】
上記結線工具５は把手５１と先端動作部５２とフック部５３を有しており、先端動作部５２は、図１０に示すように、第１ジャンパー線押圧部に並設された第２ジャンパー線押圧部５２２と、切断用突部５２３と、位置合せ突部５２４を有している。上記第１ジャンパー線押圧部５２１は上記結線用溝部３ｃ（図５参照）へ嵌入し、上記第２ジャンパー線押圧部５２２は上記結線用溝部３ｄ（図５参照）へ嵌入し、上記切断用突部５２３は上記切断端子４（図５参照）と行き交い動作されるように配置され、上記位置合せ突部５２４は上記導出口３ｅに嵌入するように寸法形状が決められている。
【００４４】
上記第１ジャンパー線押圧部５２１と第２ジャンパー線押圧部５２２は上記のストレインリリーフ３ｂ（図５参照）が嵌入可能な間隙５２５を持って離間されており、また両押圧部は結線用溝部３ｃ，３ｄへの嵌入時にＵスリット形成部２１を避けて進入可能であるように２つに分離して形成されており、上記切断用突部５２３は上記切断端子４の外面と接触しながら行き交い動作するように、第１ジャンパー線押圧部５２１及び第２ジャンパー線押圧部５２２の端部との間に切断端子４が進入する隙間５２５を持って形成されている。
【００４５】
ジャンパー線の結線及び切断操作のために押込み動作を行いつつある上記先端動作部５２の状態が図１１に示されている。
【００４６】
上記先端動作部５２によってＵスリットへのジャンパー線の結線が効果的に行えると共に、上記の切断端子４との協働でジャンパー線余長部の切断が少ない押圧力で円滑に行うことができる。即ち、ジャンパー線を切断する際にＵスリットハウジング３への衝撃荷重が加わらず、Ｕスリットハウジングの割れ、欠けなど破損がなくなり、またジャンパー結線作業者の負担が軽減され、疲労感が和らぐことになる。
【図面の簡単な説明】
【００４７】
【図１】本発明による通信用保安器サブモジュールの平面図である。
【図２】本発明による通信用保安器サブモジュールの斜視図である。
【図３】本発明による通信用保安器サブモジュールに用いられるＵスリット端子の斜視図である。
【図４】図１の通信用保安器サブモジュールを正面側から見た拡大尺図である。
【図５】図４中のＡ部の拡大尺詳細図である。
【図６】本発明による通信用保安器サブモジュールに用いられる切断端子の斜視図である。
【図７】Ｕスリットハウジング全体の斜視図である。
【図８】本発明のＵスリット端子、切断端子及びＵスリットハウジングの相互関係を、Ｕスリットハウジングの一部を破断して示している斜視図である。
【図９】本発明の通信用保安器サブモジュールに対する結線作業に用いられる結線工具の斜視図である。
【図１０】結線工具の先端動作部の斜視図である。
【図１１】結線作業時の結線工具の先端動作部とＵスリット端子及び切断端子との相互関係を示す説明図である。
【図１２】従来の通信用保安器サブモジュールの平面図である。
【図１３】ダブルＵスリット端子を有する従来の通信用保安器サブモジュールの平面図である。
【符号の説明】
【００４８】
１  通信用保安器サブモジュール
２  Ｕスリット端子
２Ａ，２Ｂ  Ｕスリット端子列
２１  Ｕスリット形成部
２１ａ，２１ｂ  Ｕスリット
２２  基部
３  Ｕスリットハウジング
３ｃ，３ｄ  結線用溝部
４  切断端子
４ａ，４ｂ  Ｖ字状切断溝
５  結線工具
５２  先端動作部
【図１】
2007013670.tif 000003
【図２】
2007013670.tif 000004
【図３】
2007013670.tif 000005
【図４】
2007013670.tif 000006
【図５】
2007013670.tif 000007
【図６】
2007013670.tif 000008
【図７】
2007013670.tif 000009
【図８】
2007013670.tif 000010
【図９】
2007013670.tif 000011
【図１０】
2007013670.tif 000012
【図１１】
2007013670.tif 000013
【図１２】
2007013670.tif 000014
【図１３】
2007013670.tif 000015